(57)【要約】【課題】水素含有気体が生成される時間が長いガス供給装置を提供する。【解決手段】ガス供給装置１は、気体発生装置２と、タンク３と、ポンプ４と、２つの送気経路管６０，６１と、吐出経路管６２と、送水経路管６３とを備えている。ガス供給装置１では、気体発生装置２で電気分解が行われると、第１送気経路管６０及び第２送気経路管６１を介して、水蒸気を含む酸素及び水蒸気を含む水素が、タンク３の非貯水空間３２に送られる。しかし、ガス供給装置１では、水蒸気は、タンク３の貯水空間３１に貯留されている水で冷やされて凝結し、水に戻る。そして、その戻った水は、タンク３の貯水空間３１に貯められた後、気体発生装置２の第１分離空間２８に送られる。そのため、ガス供給装置１では、気体発生装置２に貯められた水の減少を抑えることができるので、水素含有気体が生成される時間を長くすることができる。【選択図】  図１
2019166126.tif 000002
【特許請求の範囲】
【請求項１】
貯めた水を電気分解して水素及び酸素を発生させる気体発生部と、
密閉された内部空間に水を貯めることにより、水が貯められる貯水空間と、水が貯められない非貯水空間とが形成されるタンク部であって、前記非貯水空間には、前記気体発生部から送気経路部を介して前記水素及び前記酸素が送られ、前記非貯水空間では、少なくとも前記水素及び前記酸素を混合した水素含有気体が生成されるタンク部と、
前記非貯水空間から前記水素含有気体を吐出する吐出経路部と、
前記貯水空間に貯められた水を前記気体発生部に送る送水経路部と
を備えるガス供給装置。
【請求項２】
請求項１に記載のガス供給装置において、
空気を取り込むポンプ部と、
前記ポンプ部が取り込んだ空気を前記非貯水空間に送る空気経路部と
を備え、
前記送気経路部は、
前記気体発生部で発生させた水素を前記気体発生部から前記タンク部の前記非貯水空間に送る第１経路部と、
前記気体発生部で発生させた酸素を前記気体発生部から前記タンク部の前記非貯水空間に送る第２経路部と
を備え
前記非貯水空間にて、少なくとも、前記第２経路部により送られた前記酸素と、前記第１経路部により送られた前記水素と、前記空気経路部により送られた前記空気とを混合した前記水素含有気体が生成されるガス供給装置。
【請求項３】
請求項１又は請求項２に記載のガス供給装置において、
前記吐出経路部上に予め設定された混合点まで、前記ポンプ部から前記非貯水空間を介することなく空気を送る混合空気経路部と、
前記混合点から見て前記非貯水空間が位置する側を上流側とし、前記非貯水空間から見て前記混合点が位置する側を下流側とした場合、前記混合点よりも前記下流側の前記吐出経路部上に設置され、前記下流側から前記上流側に空気が逆流することを抑止する逆止弁部と
を備えるガス供給装置。
【発明の詳細な説明】
【技術分野】
【０００１】
本発明は、ガス供給装置に関する。
【背景技術】
【０００２】
ガス供給装置は、発生させた水素と取り込んだ空気とを混合して水素含有気体を生成し、該水素含有気体を、鼻カニューレ等の生体用吸入具に向けて供給する装置である。このガス供給装置としては、特許文献１に記載された水素吸入装置が知られている。
【０００３】
図２に示すように、特許文献１に記載された水素吸入装置１００は、水の電気分解により水素を発生させる装置として気体発生装置１１０と、空気を取り込む装置としてポンプ１２０とを備えている。
また、気体発生装置１１０及びポンプ１２０を収納する筐体１３０内には、気体発生装置１１０で発生した水素及び酸素からなる混合気ＭＧを筐体１３０の外に吐出するための吐出経路部を主に形成する吐出パイプ１１１が設置されている。吐出経路部は、気体発生装置１１０から、筐体１３０に設けられた接続点βまで形成されている。
【０００４】
吐出経路部上には、混合点αが設定されている。この混合点αには、混合気ＭＧだけでなく、ポンプ１２０で取り込まれた空気Ａが混合空気経路部を介して送られてくる。混合点αに送られてきた混合気ＭＧ及び空気Ａは、混合点αで混合されて水素含有気体Ｇとなる。そして、水素含有気体Ｇは、混合点αから接続点βまで吐出経路部に沿って送られ、さらに、筐体１３０の外側で接続点βに接続された鼻カニューレ１９０に送られる。
【０００５】
また、水素吸入装置１００は、気体発生装置１１０やポンプ１２０の他に、吐出経路部上に設置された分離槽１４０を備えている。この分離槽１４０には半分ほど水が貯められている。気体発生装置１１０から分離槽１４０に延設される吐出パイプ１１１は、分離槽１４０側の一端が、分離槽１４０に貯められた水の中に位置するように設置されている。分離槽１４０から混合点αに向かって延設される吐出パイプ１１１は、分離槽１４０側の一端が、分離槽１４０のうち水が貯められていない部分に位置するように設置されている。
【０００６】
そのため、混合気ＭＧは、気体発生装置１１０から分離槽１４０に送られてくると、分離槽１４０に貯められた水中に吹き入れられる。そして、混合気ＭＧは、分離槽１４０に貯められた水の中から浮かび上がってくると、さらに、分離槽１４０のうち水が貯められていない部分から吐出されて混合点α側に送られる。
【先行技術文献】
【特許文献】
【０００７】
【特許文献１】特開２０１７−１２５０１号公報
【発明の概要】
【発明が解決しようとする課題】
【０００８】
ところで、気体発生装置１１０内に貯められた水は、電気分解によっても減少するが、電気分解の際に生ずる熱で蒸発することによっても減少する。この蒸発した水は、混合気ＭＧとともに吐出パイプ１１１に送られる。
そのため、気体発生装置１１０内に貯められた水が減少するスピードが早いので、水素含有気体Ｇが生成される時間が短いという問題があった。
【０００９】
本発明は、水素含有気体が生成される時間が長いガス供給装置を提供することを目的とする。
【課題を解決するための手段】
【００１０】
（１）本発明のガス供給装置は、貯めた水を電気分解して水素及び酸素を発生させる気体発生部と、密閉された内部空間に水を貯めることにより、水が貯められる貯水空間と、水が貯められない非貯水空間とが形成されるタンク部であって、前記非貯水空間には、前記気体発生部から送気経路部を介して前記水素及び前記酸素が送られ、前記非貯水空間では、少なくとも前記水素及び前記酸素を混合した水素含有気体が生成されるタンク部と、を備える。
また、本発明のガス供給装置は、前記気体発生部で発生させた前記水素及び前記酸素を、前記気体発生部から前記タンク部に送る送気経路部と、前記非貯水空間から前記水素含有気体を吐出する吐出経路部と、前記貯水空間に貯められた水を前記気体発生部に送る送水経路部とを備える。
【００１１】
本発明のガス供給装置は、気体発生部で水を電気分解しているので、この電気分解の際に生ずる熱によって気体発生部で水蒸気が発生し、水蒸気は、水素及び酸素とともに送気経路部を介して非貯水空間に送られる。
【００１２】
しかし、非貯水空間内に送られた水蒸気は、貯水空間内に貯水された水によって冷やされ、凝結して水に戻り、貯水空間内に貯められる。
そして、貯水空間に貯められた水は、気体発生部に送られるので、気体発生部で電気分解による熱で水蒸気が発生しても、その水蒸気を形成する水は、気体発生部に戻る。
【００１３】
したがって、本発明のガス供給装置では、電気分解の際に生ずる熱で気体発生部で水蒸気が発生しても、気体発生部に貯められた水の減少を抑えることができるので、水素含有気体が生成される時間を長くすることができる。
ところで、背景技術の欄で説明した水素吸入装置１００は、水素及び酸素のみからなる混合気ＭＧが筐体１３０内を流れているので、引火しやすいという問題を有していた。
【００１４】
しかし、水素吸入装置１００が引火しやすいという問題については、水素吸入装置１００では、吐出経路部に分離槽１４０を設けることで対応していた。つまり、水素吸入装置１００では、分離槽１４０で混合気ＭＧを水に通すことで、吐出経路部を、分離槽１４０より気体発生装置１１０側の上流側と、分離槽１４０より混合点α側の下流側とに分離していた。これにより、水素吸入装置１００では、例えば、分離槽１４０より下流側で混合気ＭＧが引火しても、分離槽１４０より上流側には火がまわらないようにしていた。
【００１５】
しかし、吐出経路部上を、引火しやすい混合気ＭＧが通過することには変わりがないので、分離槽１４０を設けることは、水素吸入装置１００が引火しやすいという問題を根本的に解決する対策にはなっていなかった。
【００１６】
（２）そこで、本発明のガス供給装置では、空気を取り込むポンプ部と、ポンプ部が取り込んだ空気を非貯水空間に送るために形成された空気経路部と、を備えるようにしてもよい。また、移送経路部は、気体発生部で発生した水素を非貯水空間に送る第１経路部と、気体発生部で発生した酸素を非貯水空間に送る第２経路部とを備えるようにしてもよい。
そして、本発明のガス供給装置では、非貯水空間にて、少なくとも、第２経路部により送られた酸素と、第１経路部により送られた水素と、空気経路部により送られた空気とを混合した水素含有気体が生成されるようにしてもよい。
【００１７】
本発明のガス供給装置によれば、気体発生部で発生する水素及び酸素は、異なる経路部（第１経路部、第２経路部）を介して非貯水空間に送られるため、気体発生部から非貯水空間までの間に水素及び酸素のみが混合された混合気が存在しない。
【００１８】
また、非貯水空間には、空気が送られてきているため、気体発生部から送られてくる水素及び酸素は、非貯水空間内でも水素及び酸素のみからなる混合気を形成しない。
したがって、本発明のガス供給装置では、水素及び酸素のみからなる混合気が生じないので、混合気が生じる従来のガス供給装置に比べ引火しにくいという有利な効果を奏する。
【００１９】
（３）次に、本発明のガス供給装置は、吐出経路部上に予め設定された混合点まで、ポンプ部から非貯水空間を介することなく空気を送る混合空気経路部と、混合点から見て非貯水空間が位置する側を上流側とし、非貯水空間から見て混合点が位置する側を下流側とした場合、混合点よりも下流側の吐出経路部上に設置され、下流側から上流側に空気が逆流することを抑止する逆止弁部とを備えるようにしてもよい。
【００２０】
気体発生部から非貯水空間に送られてくる水素及び酸素に、取り込んだ空気を１回混合させただけの水素含有気体には、ある一部分の水素や酸素の濃度が他の部分より高くなる可能性がある。しかし、本発明のガス供給装置は、水素及び酸素に空気を混合した水素含有気体にさらに空気を混合しているので、水素含有気体中の水素や酸素の濃度が均一になる。
【００２１】
また、水素含有気体が流れる吐出経路部に混合点で空気を流し込むと、吐出経路部を流れてきた水素含有気体を非貯水空間側である上流側に押し戻し、混合点より下流側の水素含有気体が上流側に引き戻される可能性がある。しかし、本発明のガス供給装置は、混合点より下流側に逆止弁を設けているので、このような引き戻しの発生を抑制できる。
【図面の簡単な説明】
【００２２】
【図１】実施形態のガス供給装置の全体構成を示す模式図である。
【図２】背景技術に記載した水素吸入装置の全体構成を示す模式図である。
【発明を実施するための形態】
【００２３】
＜構成＞
以下では、本発明が適用された実施形態であるガス供給装置について説明する。
図１に示すように、本実施形態のガス供給装置１は、気体発生装置２と、タンク３と、ポンプ４と、逆止弁５と、複数の経路管６とを備えている。
【００２４】
本実施形態のガス供給装置１は、経路管６として、２つの送気経路管６０，６１と、吐出経路管６２と、送水経路管６３と、空気経路管６４と、混合空気経路管６５とを備えている。
【００２５】
気体発生装置２は、水槽２０と、イオン交換膜２１と、２つの電極２２，２３を備えている。水槽２０は、水を貯めることが可能な密閉空間を形成する。イオン交換膜２１は、水槽２０内に張られており、水槽２０の密閉空間を２つの分離空間２８，２９に分ける。また、イオン交換膜２１には、分離空間２８側に電極２２が積層され、分離空間２９側に電極２３が積層される。これら２つの電極２２，２３は、平板状に形成されており、電極２２，２３の板面の面積は、イオン交換膜２１のうち水槽２０内に位置する部分の面積よりも小さい。このため、イオン交換膜２１には、これら２つの電極２２，２３の周囲に電極２２，２３が積層されていない部分が形成されるように、電極２２，２３が積層されている。また、イオン交換膜２１及び電極２２，２３は、気体を透過させることができる。
【００２６】
水槽２０の内部空間であって、イオン交換膜２１によって分けられた２つの分離空間のうち、一方の分離空間には、水が貯められる。水が貯められる分離空間を第１分離空間２８、水が貯められない分離空間を第２分離空間２９と以下呼ぶ。
【００２７】
タンク３は、水を貯めることが可能な密閉された内部空間３０を形成する。タンク３には、図示していないが、内部空間３０に水を給水するための給水孔が形成され、この給水孔は、給水時以外は閉められている。タンク３に純水を給水すると、タンク３内には、内部空間３０として、純水が貯められる貯水空間３１と、純水が貯められない非貯水空間３２とが形成される。
【００２８】
気体発生装置２とタンク３との間には、送気経路管６０，６１、及び、送水経路管６３がそれぞれ配管される。
送気経路管６０は、管内空間が、気体発生装置２の第１分離空間２８と連続するように、長手方向の一端が、気体発生装置２に接続される。また、送気経路管６０は、管内空間が、タンク３の非貯水空間３２と連続するように、長手方向の他端が、タンク３に接続される。  なお、送気経路管６０は、以下、第１送気経路管６０とよぶ。
【００２９】
送気経路管６１は、管内空間が、気体発生装置２の第２分離空間２９と連続するように、長手方向の一端が、気体発生装置２に接続される。また、送気経路管６１は、管内空間が、タンク３の非貯水空間３２と連続するように、長手方向の他端が、タンク３に接続される。  なお、送気経路管６１は、以下、第２送気経路管６１とよぶ。
【００３０】
送水経路管６３は、管内空間が、タンク３の貯水空間３１と連続するように、長手方向の一端が、タンク３に接続される。また、送水経路管６３は、管内空間が、気体発生装置２の第１分離空間２８と連続するように、長手方向の他端が、気体発生装置２に接続される。
【００３１】
タンク３と、ガス供給装置１の筐体１０に設けられた接続具１１との間には、吐出経路管６２が配管されている。
吐出経路管６２は、管内空間が、タンク３の非貯水空間３２と連続するように、長手方向の一端が、タンク３に接続される。また、吐出経路管６２は、長手方向の他端が、ガス供給装置１の筐体１０に設けられた接続具１１に接続される。
【００３２】
本実施形態のガス供給装置１は、鼻カニューレ等の水素含有気体吸引具を接続具１１に接続すると、タンク３から吐出経路管６２を介して接続具１１に送られてきた気体を、水素含有気体吸引具に送ることができる。
【００３３】
ポンプ４は、稼働させると、ポンプ４の周囲の空気を取り込んで、その取り込んだ空気を所定の圧力で送り出すことができる、いわゆるエアポンプである。本実施形態では、ポンプ４は、空気を送り出す送出口が２つあるものが用いられている。
【００３４】
ポンプ４とタンク３との間には、空気経路管６４が配管されている。また、ポンプ４と、吐出経路管６２上に設定された混合点７との間には、混合空気経路管６５が配管されている。
【００３５】
空気経路管６４は、管内空間が、タンク３の非貯水空間３２と連続するように、長手方向の一端が、タンク３に接続される。また、空気経路管６４は、ポンプ４が送り出す空気を管内に取り込むことができるように、長手方向の他端が、ポンプ４が備える１つの送出口に接続される。
【００３６】
混合空気経路管６５は、管内空間が、吐出経路管６２の管内空間と連続するように、長手方向の一端が、混合点７で吐出経路管６２に接続される。また、混合空気経路管６５は、ポンプ４が送り出す空気を管内に取り込むことができるように、長手方向の他端が、ポンプ４が備えるもう１つの送出口（空気経路管６４が接続される送出口とは異なるもう一つの送出口）に接続される。
【００３７】
逆止弁５は、混合点７と接続具１１との間の吐出経路管６２上に設置される。逆止弁５は、吐出経路管６２内を流れる気体が、接続具１１側から混合点７側に流れることを抑止し、混合点７側から接続具１１側に流れるように定流させるものである。
【００３８】
＜動作＞
次に、本実施形態のガス供給装置１の動作について説明する。
本実施形態のガス供給装置１は、図示しない一般家庭用の交流電力を供給することによって動作する。ただし、気体発生装置２には、一般家庭用の交流電力直流に変換した電力が供給され、ポンプ４には、一般家庭用の交流電力が供給される。また、気体発生装置２に対しては、イオン交換膜２１の第１分離空間２８側に位置する電極が陽極、第２分離空間２９側に位置する電極が陰極となるように、直流の電力が供給される。
【００３９】
気体発生装置２に直流の電力が供給されると、第１分離空間２８では、貯留された水が電気分解されて酸素と水素が発生する。このうち、水素は、イオン交換膜を介して第２分離空間２９に送られる。
【００４０】
第１分離空間２８内では、貯められた水の上方に酸素が貯まる。前述した第１送気経路管６０は、より正確には、管内空間が、第１分離空間２８のうち酸素が貯まる部分の空間と連続する位置で気体発生装置２に接続されている。そのため、第１分離空間２８内で酸素が次々に発生すると、第１分離空間２８内で発生した酸素は、第１送気経路管６０を介してタンク３の非貯水空間３２に送られる。
【００４１】
第２分離空間２９内では、イオン交換膜２１を透過した水素が貯まる。前述した第２送気経路管６１は、管内空間が、第２分離空間２９と連続するように気体発生装置２に接続されている。そのため、イオン交換膜２１を透過して、第２分離空間２９に水素が次々に供給されると、第２分離空間２９に供給された水素は、第２送気経路管６１を介してタンク３の非貯水空間３２に送られる。
【００４２】
気体発生装置２で電気分解が行われるとき、電極２２や電極２３が熱を帯びる。そのため、第１分離空間２８では水蒸気が発生し、第１分離空間２８に貯められた酸素には水蒸気が混じる。また、一部の水蒸気は、イオン交換膜２１を介して第２分離空間２９にも到達する。そのため、第２分離空間２９に貯められた水素にも水蒸気が混じる。
【００４３】
つまり、気体発生装置２で電気分解が行われると、第１送気経路管６０及び第２送気経路管６１を介して、水蒸気を含む酸素及び水蒸気を含む水素が、タンク３の非貯水空間３２に送られる。
【００４４】
ポンプ４に交流の電力が供給されると、空気経路管６４及び混合空気経路管６５を介して、タンク３及び吐出経路管６２に空気が供給される。このとき供給される空気は、接続具１１から排出される水素含有気体の流量を１とした場合、空気経路管６４及び混合空気経路管６５の管内をそれぞれ通過する空気の流量がおよそ１／２となるように、ポンプ４から供給される。タンク３に供給される空気は、タンク３の非貯水空間３２に送られる。
【００４５】
このように、タンク３の非貯水空間３２には、気体発生装置２から水素及び酸素が送られ、ポンプ４から空気が送られるので、非貯水空間３２では、水素、酸素、及び、空気が混合される。そして、これら水素、酸素、及び、空気が混合された水素含有気体は、吐出経路管６２を介して接続具１１に向かってタンク３の非貯水空間３２から吐出される。また、タンク３から吐出された水素含有気体には、混合点７において、ポンプ４から混合空気経路管６５を介して送られてきた空気が混合される。さらに、混合点７でポンプ４から送られてきた空気が混合された水素含有気体は、逆止弁５を介して接続具１１に供給される。
【００４６】
そのため、本実施形態のガス供給装置１の筐体１０が備える接続具１１に、鼻カニューレ等の生体用吸入具を接続すると、この生体用吸入具には、水素含有気体が供給される。
【００４７】
＜本実施形態のガス供給装置１の特徴的な作用効果＞
以上のように動作するガス供給装置１の特徴的な作用効果について、以下説明する。
本実施形態のガス供給装置１では、第１分離空間２８内に貯められた純水が電気分解によって減少する。しかも、第１分離空間２８内に貯められた純水は、電極２２や電極２３が発する熱によって蒸発し、電気分解で発生する水素及び酸素と共に第１送気経路管６０及び第２送気経路管６１を介して気体発生装置２の外部に出てしまう。
【００４８】
しかし、本実施形態のガス供給装置１では、第１送気経路管６０及び第２送気経路管６１を介して気体発生装置２の外部に出た水蒸気は、タンク３の混合空間に送られ、タンク３の貯水空間３１に貯留されている水で冷やされて凝結し、水に戻る。そして、その戻った水は、タンク３の貯水空間３１に貯められた後、気体発生装置２の第１分離空間２８に送られる。
【００４９】
そのため、本実施形態のガス供給装置１では、電気分解の際に生ずる熱で気体発生装置２で水蒸気が発生しても、気体発生装置２に貯められた水の減少を抑えることができるので、水素含有気体が生成される時間を長くすることができる。
【００５０】
次に、本実施形態のガス供給装置１によれば、気体発生部で発生する水素及び酸素は、異なる経路部（第１送気経路管６０、第２送気経路管６１）を介して非貯水空間に送られるため、気体発生装置２からタンク３の非貯水空間３２までの間に水素及び酸素のみが混合された混合気が存在しない。
【００５１】
また、タンク３の非貯水空間３２には、ポンプ４から空気が送られてきているため、気体発生装置２から送られてくる水素及び酸素は、非貯水空間３２内でも水素及び酸素のみからなる混合気を形成しない。
したがって、本実施形態のガス供給装置１では、水素及び酸素のみからなる混合気が生じにくいので、混合気が生じる従来のガス供給装置に比べ引火しにくいという有利な効果を奏する。
【００５２】
ところで、気体発生装置２からタンク３の非貯水空間３２に送られてくる水素及び酸素に、ポンプ４で取り込んだ空気を１回混合させただけの水素含有気体には、ある一部分の水素や酸素の濃度が他の部分より高くなる可能性がある。
【００５３】
しかし、本実施形態のガス供給装置１は、混合点７において、水素及び酸素に空気を混合した水素含有気体にさらに空気を混合しているので、水素含有気体中の水素や酸素の濃度が均一になる。
【００５４】
また、水素含有気体が流れる吐出経路管６２に混合点７で空気を流し込むと、吐出経路管６２を流れてきた水素含有気体を非貯水空間３２側である上流側に押し戻し、混合点７より下流側の水素含有気体が上流側に引き戻される可能性がある。
【００５５】
しかし、本実施形態のガス供給装置１は、混合点７より下流側に逆止弁５を設けているので、このような引き戻しの発生を抑制できる。
＜本実施形態と本発明との対応関係＞
本実施形態の気体発生装置２は、本発明の気体発生部に相当する。
本実施形態のタンク３は、本発明のタンク部に相当する。
本実施形態の第１送気経路管６０は、本発明の送気経路部及び第２経路部に相当し、第２送気経路管６１は、本発明の送気経路部及び第１経路部に相当する。
【００５６】
本実施形態のポンプ４は、本発明のポンプ部に相当する。
本実施形態の吐出経路管６２は、本発明の吐出経路部に相当する。
本実施形態の送水経路管６３は、本発明の送水経路部に相当する。
【００５７】
本実施形態の空気経路管６４は、本発明の空気経路部に相当する。
本実施形態の混合空気経路管６５は、本発明の混合空気経路部に相当する。
本実施形態の逆止弁５は、本発明の逆止弁部に相当する。
【００５８】
［他の実施形態］
以上、実施形態について説明したが、特許請求の範囲に記載された発明は、上記実施形態に限定されることなく、種々の形態を採り得る。
（１）上記実施形態では、気体発生装置２としてイオン交換膜を備える例を示したが、気体発生装置２は、イオン交換膜を備えるものに限るものではなく、電気分解によって水素と酸素とを発生可能な装置であれば、どのような装置でもよい。
【００５９】
（２）本発明の各構成要素は概念的なものであり、上記実施形態に限定されない。例えば、１つの構成要素が有する機能を複数の構成要素に分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の少なくとも一部を、他の上記実施形態の構成に対して付加、置換等してもよい。
【符号の説明】
【００６０】
１…ガス供給装置、２…気体発生装置、３…タンク、４…ポンプ、５…逆止弁、
６…経路管、７…混合点、１０…筐体、１１…接続具、２０…水槽、
２１…イオン交換膜、２２…電極、２３…電極、２８…第１分離空間、
２９…第２分離空間、３０…内部空間、３１…貯水空間、３２…非貯水空間、
６０…第１送気経路管、６１…第２送気経路管、６２…吐出経路管、６３…送水経路管、
６４…空気経路管、６５…混合空気経路管。
【図１】
2019166126.tif 000003
【図２】
2019166126.tif 000004